(57)【要約】【課題】本発明は、ケーブルグリップを使用してケーブルを接続又は連結した後スムーズなケーブル移動が可能なケーブルグリップを用いたケーブル布設方法を提供することを課題とする。【解決手段】ケーブルグリップの掴線筒体でケーブルの端部を挿通して把掴した後、一端側に設けられた連結輪にウインチにより巻取／引出移動するワイヤーを連結してケーブルを移動するケーブルグリップを用いたケーブル布設方法において、連結輪をワイヤーに連結してワイヤーを巻取移動する際、ウインチの巻回ドラム側で押圧手段によりワイヤーを押圧して巻取移動することである。【選択図】図１
2009171820.tif 000002
【特許請求の範囲】
【請求項１】
ケーブルグリップの掴線筒体でケーブルの端部を挿通して把掴した後、一端側に設けられた連結輪にウインチにより巻取／引出移動するワイヤーを連結してケーブルを移動するケーブルグリップを用いたケーブル布設方法において、連結輪をワイヤーに連結してワイヤーを巻取移動する際、ウインチの巻回ドラム側で押圧手段によりワイヤーを押圧して巻取移動することを特徴とするケーブルグリップを用いたケーブル布設方法。
【請求項２】
ケーブルグリップの掴線筒体で古いケーブルの端部と新しいケーブルの端部とを挿通して連結把掴した後、ケーブルグリップの端部側に設けられた連結輪にウインチにより巻取／引出移動するワイヤーを連結してケーブルを移動又は巻回移動するケーブルグリップを用いたケーブル布設方法において、新規なケーブルと古いケーブルとをケーブルグリップで連結した後、ウインチの巻回ドラム側で押圧手段によりワイヤーを押圧してケーブルを移動又は巻回移動することを特徴とするケーブルグリップを用いたケーブル布設方法。
【発明の詳細な説明】
【技術分野】
【０００１】本発明は、ケーブルの端部をケーブルグリップで把掴してケーブルをウインチにより移動する、ケーブルグリップを用いたケーブル布設方法に関する。
【背景技術】
【０００２】従来ケーブルグリップは、一般に制御用ケーブル、通信用のケーブルを配管内に布設するとき、又は高層ビル等内に垂直に布設するときに使用されまた布設方法は、直線状に巻取移動する場合と、ループ状に巻回移動する場合とがある。直線状に巻取移動する場合は、先ず、ケーブル（例えば複数本）の端部を網袋状の筒体で被覆し把掴した後、ケーブルグリップの先端に設けられた連結輪に別体のワイヤーを連結し、該ワイヤーをウインチで巻き取ることでケーブルグリップによる把掴が強くなり、ケーブルを配管内、又はビルの側壁に垂直に所望の位置まで移動し、ケーブルを布設する。特に、ビルに配線されるケーブルの布設時は、ケーブルグリップの先端に設けられた連結輪に建物の最上部階に設置したウインチのワイヤーの先端に設けられたフックを連結し、ウインチを駆動して幹線ケーブルの上部を最上部階に位置させた後、連結輪を所望の位置で係止することでケーブルを布設する。【０００３】また、ループ状に巻回移動する布設方法は、例えば古くなったケーブルを新しいケーブルに交換するときに使用し、古いケーブルの端部に新しいケーブルの端部を位置させて両側に開口部を有する筒体を被覆して把掴することでケーブルグリップで２本のケーブルを一本に接続し、ケーブルを巻回したウインチを駆動することで、ケーブルを所望のループ間で巻回移動して新しいケーブルをループ間に巻回した後に、古いケーブルを取り除くことでケーブルを交換する布設方法である。
【特許公報】
特開２００４−１３５４２０号公報
【発明が解決しようとする課題】
【０００４】しかしながら、上記従来より使用されているケーブルの布設方法はケーブルの荷重があるために、ウインチの駆動ドラムの引っ張り（ワイヤーをドラムへ取り入れる）側に荷重がかかり、ウインチのスムーズな巻回移動ができないという問題点があった。
【０００５】また、ケーブルの荷重を解消するために把掴する力の強いケーブルグリップを改良することが考えられたがケーブルグリップの改良のみではケーブルの荷重に十分に対応することができない。
【０００６】また、ケーブルを所望のループ間で巻回移動する場合は、ケーブルの荷重により、ウインチへのケーブルの取り入れ側と取り出し側との荷重が相違するためにケーブルのスムーズな巻回移動ができない。
【０００７】また、ケーブルを所望のループ間で巻回移動する場合は、ケーブルグリップを用いて２本のケーブルを連結しているためにその荷重により、ウインチを用いてのケーブルのスムーズな巻回移動ができない。
【０００８】さらに、ウインチへのケーブルの取り入れ側と取り出し側との荷重が相違するためにケーブルのスムーズな巻回移動ができない。
【０００９】そこで、本発明は、ケーブルグリップを使用してケーブルを接続又は連結した後、スムーズなケーブル移動が可能なケーブルグリップを用いたケーブル布設方法を提供することを課題とする。
【課題を解決するための手段】
【００１０】本発明は上記課題を解決するための第１の解決手段は、請求項１に記載のように、ケーブルグリップの掴線筒体でケーブルの端部を挿通して把掴した後、一端側に設けられた連結輪にウインチにより巻取／引出移動するワイヤーを連結してケーブルを移動するケーブルグリップを用いたケーブル布設方法において、連結輪をワイヤーに連結してワイヤーを巻取移動する際、ウインチの巻回ドラム側で押圧手段によりワイヤーを押圧して巻取移動することを特徴とする。
【００１１】また、第２の解決手段は、請求項２に記載のように、ケーブルグリップの掴線筒体で古いケーブルの端部と新しいケーブルの端部とを挿通して連結把掴した後、ケーブルグリップの端部側に設けられた連結輪にウインチにより巻取／引出移動するワイヤーを連結してケーブルを移動又は巻回移動するケーブルグリップを用いたケーブル布設方法において、新規なケーブルと古いケーブルとをケーブルグリップで連結した後、ウインチの巻回ドラム側で押圧手段によりワイヤーを押圧してケーブルを移動又は巻回移動することを特徴とする。
【発明の作用及び効果】
【００１２】次に、本発明のケーブルグリップを用いたケーブル布設方法の作用及び効果について説明する。
【００１３】先ず、ケーブルの端部をケーブルグリップの形状維持した掴線筒体に挿入して把掴した後、ケーブルグリップの先端側に設けられた連結輪にウインチに巻回されたワイヤー引出移動して連結し、その後ウインチを駆動することでワイヤーを巻取移動して、ケーブルを配管内等に所望の距離移動する。
【００１４】この際、ウインチの巻回ドラムにはワイヤーの取り入れ側を押圧するための押圧手段が設けられているために、ケーブルの荷重が大きい場合であっても、ケーブルグリップのケーブル把掴が離脱することなくケーブルをスムーズに移動することができる。
【００１５】しかも、ウインチでワイヤーを押圧しながら巻き取りしているためにビルに配線される幹線ケーブルの布設する場合であっても、上方側へ幹線ケーブルを無駄なくスムーズに移動することができる。
【００１６】また、古いケーブルに新規なケーブルをケーブルグリップを介して接続してループ状にケーブルを巻回する場合においても、ケーブルの荷重が増加しても、ワイヤーの取り入れ側を押圧するための押圧手段が設けられているためにスムーズにケーブルを移動することができ、ケーブルの取り替えを容易に行える。
【００１７】このように、本発明のケーブルグリップを用いたケーブル布設方法は、従来のウインチを用いた布設方法に比し、その移動が容易でありさらにあらゆる場所でのケーブルの移動用として使用することができる。
【００１８】また、ウインチでの移動が容易であるためにケーブルグリップの強く把掴する力を一定に維持することができ、適切なケーブルグリップの使用が可能となる。
【００１９】従って、本発明のケーブルグリップを用いたケーブル布設方法は従来にない最適なケーブルグリップの搬送を可能とし、ケーブルの布設を適切に行うことができる。
【発明を実施するための最良の実施の形態】
【００２０】以下、本発明のケーブルグリップを用いたケーブル布設方法の一実施例について下記のような図面を用いて説明する。
【００２１】図１は本発明のケーブルグリップを用いた布設方法の一実施例を示す概略説明側面図であり、図２、図３はケーブルグリップを用いた布設方法の他実施例を示す概略説明側面図であり、図４はケーブルグリップを用いて新旧ケーブルを連結し、取り替え移動を示す概略説明側面図であり、図５は予め先端にケーブルグリップの設けられたケーブルを示す概略説明側面図であり、図６はケーブルグリップを用いた布設方法を示す第１フローチャートで、図７はケーブルグリップを用いた布設方法を示す第２フローチャートでる。
【００２２】本発明のケーブルグリップを用いた布設方法の第１の実施例について図１を用いて説明する。
【００２３】先ず、本発明のケーブルグリップを用いた布設方法に使用する装置の基本構成は、ウインチ１と、ウインチ１に巻回されたワイヤー２と、ケーブル３の先端に被覆して取り付けるケーブルグリップ４とである。
【００２４】ウインチ１は、基台５に設けられたウインチ本体６と、巻取用ドラム７とからなり、ウインチ本体６は駆動軸８に取り付けられた巻回ドラム９と、該巻回ドラム９の近傍に設けられた押圧体１０とから構成され、押圧体１０はワイヤー２の巻回ドラム９への取り入れ側を押圧し、取り出し側の押圧を解除するように僅かに移動（移動は巻回ドラム９側へ近づく方向に移動することで取り入れ側を押圧し、巻回ドラム９側より離反する方向に移動することで取り出し側の押圧を解除する。）して調整する。
【００２５】ケーブルグリップ４は、ケーブル３を挿通して把掴する糸状体を一端側を閉塞し、他端側を開放した網袋状に編んで形成された掴線筒体１１と該掴線筒体１１の閉塞側に形成され糸状体をワイヤー状に結束することで形成された連結輪１２とから構成されている。
【００２６】本発明のケーブルグリップを用いた布設方法の第１の実施例に使用する装置は上記のように構成され、次に、各種配管にケーブルを布設する方法について説明する。
【００２７】先ず、ウインチ１を配管２０の一方側に位置させ、配管２０の他方側にドラムに巻回されたケーブル３を位置させる。その後、ウインチ本体６の駆動軸８を駆動し巻回ドラム９を回転することで巻取用ドラム７よりワイヤー２を取り出し移動し配管２０内を他方側へ挿通する。
【００２８】そして、ケーブルグリップ４の掴線筒体１１にケーブル３の先端部を挿通して掴線筒体１１を長尺方向に引っ張ることにより網部分が直角に方向に収縮しようとする力によりケーブル３を強く把持することができる。
【００２９】次に、前記ワイヤー２の先端を連結輪１２に接続した後、再度ケーブルグリップ４の把持を確認し、把持が弱い場合は再度ケーブルグリップ４を付けなおし、把持が強い場合はその状態でウインチ本体６の駆動軸８を駆動し巻回ドラム９を回転（前記と逆方向に）することでワイヤー２を巻き取り移動し配管２０内にケーブル３を移動する。これによりケーブル３を配管２０内に布設することができる。
【００３０】このように、本発明のケーブルグリップを用いた布設方法は、ケーブルグリップ４の把持力を強く確保した状態で、ウインチ１で移動することができる。
【００３１】次に、本発明のケーブルグリップを用いた布設方法の第１の実施例に使用する装置を利用して、高層ビルにケーブルを布設する方法について図２に基づいて説明する。
【００３２】先ずビルの最上階にウインチ１を設置し、前記の場合と同様にウインチ本体６の駆動軸８を駆動し巻回ドラム９を回転することで巻取用ドラム７よりワイヤー２を取り出し移動しビルの上方階より下方階側に溝（側壁又は内部に形成されている）に沿って挿通する。
【００３３】その後、ケーブルグリップ４の掴線筒体１１にケーブル３の先端部を挿通して掴線筒体１１を長尺方向に引っ張ることにより網部分が直角に方向に収縮しようとする力によりケーブル３を強く把持し、ワイヤー２の先端を連結輪１２に接続した後、再度ケーブルグリップ４の把持を確認し、把持が弱い場合は再度ケーブルグリップ４を付けなおし、把持が強い場合はその状態でウインチ本体６の駆動軸８を駆動し巻回ドラム９を回転（前記と逆方向に）することでワイヤー２を巻き取り移動し溝に沿ってケーブル３を上方に移動する。これによりケーブル３をビルに沿って布設することができる。
【００３４】この場合は、ワイヤー２にはケーブル３の荷重が強くかかることとなるが、ウインチ本体６に設けられた押圧体１０によりワイヤー２が押圧されながら巻回ドラム９により巻き取り移動されているために、安全に且つ確実にケーブル３を移動することができる。
【００３５】次に、本発明のケーブルグリップを用いた布設方法の第２の実施例について図３を用いて説明する。
【００３６】先ず、本発明のケーブルグリップを用いた布設方法に使用する装置の基本構成は、ウインチ１と、ウインチ１に巻回されたワイヤー２と、ケーブル３の先端に被覆して取り付けるケーブルグリップ４とである点では第１の実施例の場合と同様である。
【００３７】相違点は、ウインチ１の構成である。ウインチ１は基台５に設けられたウインチ本体６と、所望の距離離反して取り付けられた滑車２１とから構成され、ウインチ本体６は駆動軸８に取り付けられた巻回ドラム９と、該巻回ドラム９の近傍に設けられた押圧体１０と、近傍に設けられた幅調整ドラム２２とから構成され、押圧体１０はワイヤー２の巻回ドラム９への取り入れ側を押圧し、取り出し側の押圧を解除するように僅かに移動（移動は巻回ドラム９側へ近づく方向に移動することで取り入れ側を押圧し、巻回ドラム９側より離反する方向に移動することで取り出し側の押圧を解除する。）して調整する。
【００３８】ケーブルグリップ４の構成は上記第１の実施例の場合と同様に、ケーブル３を挿通して把掴する糸状体を一端側を閉塞し、他端側を開放した網袋状に編んで形成された掴線筒体１１と該掴線筒体１１の閉塞側に形成され糸状体をワイヤー状に結束することで形成された連結輪１２とから構成されている。
【００３９】本発明のケーブルグリップを用いた布設方法の第２の実施例に使用する装置は上記のように構成され、次に、屋内外の空間部等にケーブルを布設する方法について説明する。
【００４０】先ず、ウインチ本体６を一方側の側壁に取り付け、対向する他方の側壁に滑車２１を取り付けるとともに、巻回ドラム９と滑車２１との間にワイヤー２をエンドレス状に巻回設置する。この際、ウインチ本体６側には幅調整ドラム２２が設けられているために、ワイヤー２は一定の幅で巻回移動する。
【００４１】次に、ドラムに巻回されたケーブル３の先端部にケーブルグリップ４の掴線筒体１１を挿通して掴線筒体１１を長尺方向に引っ張ることにより網部分が直角に方向に収縮しようとする力によりケーブル３を強く把持し、ワイヤー２に連結具（図示せず）を介して連結輪１２と接続する。
【００４２】上記状態で、再度ケーブルグリップ４の把持を確認し、把持が弱い場合は再度ケーブルグリップ４を付けなおし、把持が強い場合はその状態でウインチ本体６の駆動軸８を駆動し、巻回ドラム９を回転することでワイヤー２をエンドレス状に巻回移動し、連結されたケーブル３を所望の空間部に沿って移動する。これによりケーブル３を空間部に布設することができる。
【００４３】この場合も上記第１の実施例の場合と同様に、ワイヤー２にはケーブル３の荷重が強くかかることとなるが、ウインチ本体６に設けられた押圧体１０によりワイヤー２が押圧されながら巻回ドラム９により巻き取り移動されているために、安全に且つ確実にケーブル３を移動することができる。
【００４４】次に、本発明のケーブルグリップを用いた布設方法の第３の実施例について図４を用いて説明する。
【００４５】先ず、本発明のケーブルグリップを用いた布設方法に使用する装置の基本構成は、ウインチ１と、ウインチ１に巻回されたワイヤー２と、ケーブル３の先端に被覆して取り付けるケーブルグリップ４とである点では第１及び第２の実施例の場合と同様である。
【００４６】相違点は、ウインチ１の構成である。ウインチ１は基台５に設けられたウインチ本体６と、所望の距離離反して設けられた巻取用ドラム７とからなり、ウインチ本体６は駆動軸８に取り付けられた巻回ドラム９と、該巻回ドラム９の近傍に設けられた押圧体１０と、近傍に設けられた幅調整ドラム２２とから構成されている。
【００４７】ケーブルグリップ４の構成は上記第１及び第２の実施例の場合と相違し、ケーブル３を挿通して把掴する糸状体より形成される掴線筒体１１が、両端側に開口部を有するように形成されている。（尚、掴線筒体１１が複数本の糸状体を網目状に編んで長尺状の帯状に形成した網体と、糸状体を網目状に編んだ際に網体の長側面両側の折り返し部分をくの字に折り曲げて形成した複数の連続した係輪部と、網体の一端側の糸状体を結束して形成された２本の連結輪と、結束部分より取り出した１本の糸状体より形成され、前記係輪部にそれぞれ挿通して編み込むことで継合する継合糸体とから構成することも可能である。）
【００４８】尚、連結輪１２の数はワイヤーで引っ張りやすいので２本又は中央に１本設けるように形成することも可能である。
【００４９】本発明のケーブルグリップを用いた布設方法の第３の実施例に使用する装置は上記のように構成され、次に、すでに布設されている古いケーブルを新規なケーブルと交換して布設する方法について説明する。
【００５０】先ず、ウインチ本体６を一方側の側壁に取り付け、所望の位置に巻取用ドラム７を取り付けるとともに、巻回ドラム９を介してワイヤー２を設置する。
【００５１】次に、ドラムに巻回された新規なケーブル３Ａの先端部と古いケーブル３Ｂの端部にケーブルグリップ４の掴線筒体１１を挿通して掴線筒体１１を長尺方向に引っ張ることにより網部分が直角に方向に収縮しようとする力により２本のケーブル３Ａ、３Ｂの端部を連結し強く把持する。
【００５２】次に、ワイヤー２に連結具（図示せず）を介して連結輪１２と接続する。
【００５３】上記状態で、再度ケーブルグリップ４の把持を確認し、把持が弱い場合は再度ケーブルグリップ４を付けなおし、把持が強い場合はその状態でウインチ本体６の駆動軸８を駆動し、巻回ドラム９を回転することでワイヤー２を移動して接続されたケーブル３Ａ、３Ｂを移動する。これにより、古いケーブル３Ａの設けられた位置に新規なケーブル３Ｂを移動し、ケーブル３Ｂを布設することができる。
【００５４】この場合も上記第１及び第２の実施例の場合と同様に、ワイヤー２にはケーブル３Ａ、３Ｂの荷重が強くかかることとなるが、ウインチ本体６に設けられた押圧体１０によりワイヤー２が押圧されながら巻回ドラム９により巻き取り移動されているために、安全に且つ確実にケーブル３Ａ、３Ｂを移動することができる。
【００５５】また、ケーブル３はドラムに巻回された状態で予めケーブル３の径に応じたケーブルグリップ４が取り付けられていることで、ワイヤー２への取り付け時にケーブルグリップ４の取り付け作業を省くことができ、作業工程を格段に減少することができる。また、ケーブル３の径に応じたケーブルグリップ４を準備しわすれることがない。この際、さらにケーブル３の巻回されたドラムに予備のケーブルグリップ４を取り付けておくことで、ケーブル３輸送時にケーブルグリップ４が損傷するような不測の事態がおこっても対応することができる。
【００５６】また、本発明におけるケーブル３は複数の線状体を束ねたものの総称と表記しており、該ケーブル３には、一般的なワイヤーケーブルも含む。従って、例えば、空間部に吊張したワイヤーケーブルの交換時においても、上記各実施例を利用することで容易に交換作業を終えることができる。
【００５７】このように、本発明のケーブルグリップを用いた布設方法はいかなる場合のケーブルであっても容易に布設することができ、あらゆる施設に使用することができる。
【００５８】従って、ケーブルのメンテナンスにおいても従来のように効果的に利用することができる。
【図面の簡単な説明】
【００５９】
【図１】本発明のケーブルグリップを用いた布設方法の一実施例を示す概略説明側面図
【図２】ケーブルグリップを用いた布設方法の他実施例を示す概略説明側面図
【図３】ケーブルグリップを用いた布設方法の他実施例を示す概略説明側面図
【図４】ケーブルグリップを用いて新旧ケーブルを連結し、取り替え移動を示す概略説明側面図
【図５】予め先端にケーブルグリップの設けられたケーブルを示す概略説明側面図
【図６】ケーブルグリップを用いた布設方法を示す第１フローチャート
【図７】ケーブルグリップを用いた布設方法を示す第２フローチャート
【符号の説明】
【００６０】１…ウインチ、２…ワイヤー、３…ケーブル、４…ケーブルグリップ
【図１】
2009171820.tif 000003
【図２】
2009171820.tif 000004
【図３】
2009171820.tif 000005
【図４】
2009171820.tif 000006
【図５】
2009171820.tif 000007
【図６】
2009171820.tif 000008
【図７】
2009171820.tif 000009